(57)【特許請求の範囲】
【請求項１】
少なくとも前後一対の針床と、これら針床に編糸を給糸する第一給糸口および第二給糸口と、を備え、前後の針床間で編目の目移しが可能な横編機を用いて、前記第一給糸口を用いて編成される第一編地部と、前記第一編地部の編幅方向に並列して前記第二給糸口を用いて編成される第二編地部とを、それらの境界部に近い側から順次、接合する編地の接合方法において、
前記第一給糸口を用いて、前記境界部近傍に位置する前記第一編地部の一部の編目と前記第二編地部の一部の編目が係止される編針を含む前後の針床の編針に袋編みを行なって、両編地部の一部を接合した後、
袋編みによって形成された全ての編目、および前記第一編地部の全ての編目を前記第二編地部側に移動させ、袋編みによって形成された編目の一部と、前記第二編地部の編目の一部と、を重ね合わせる工程αと、
前記第一編地部の全ての編目を前記第二編地部側に移動させ、前記第一編地部の編目の一部と、袋編みによって形成された編目の一部と、を重ね合わせる工程βと、
前記第一給糸口を用いて、前記工程αによって形成された重ね目と、前記工程βによって形成された重ね目を両端部とする袋編みを行なって、前記第一編地部と前記第二編地部とを接合する工程γと、
を繰り返し、
この繰り返しの途中、少なくとも１回、前記第一給糸口を用いて、前記第一編地部のウエール方向に続く新たな編目列を形成する引き返し編成を行なうことを特徴とする編地の接合方法。
【請求項２】
前記工程αと前記工程βで編目を移動させる際、袋編みによって形成された編目は、前記第一編地部と前記第二編地部の表側に重ねることを特徴とする請求項１に記載の編地の接合方法。
【請求項３】
前記第一編地部と前記第二編地部の各々を両面編みで編成することを特徴とする請求項１または２に記載の編地の接合方法。
【発明の詳細な説明】
【技術分野】
【０００１】
本発明は、横編機を用いて、針床の長手方向に第一編地部と第二編地部とを左右に並べて編成し、両編地部の境界部を挟んだ編目同士を接合する編地の接合方法、およびその接合方法により編成された部分を有する編地に関する。
【背景技術】
【０００２】
横編機でＶネックベストを無縫製で編成する場合、一つの給糸口で裾から筒状に身頃を編成し、複数の給糸口を追加してアームホールとＶネックに開口部を形成し、左右の肩部分において前身頃と後身頃の終端の編目同士を接合する。肩の接合に関しては、前後身頃に対向して並ぶ編目を伏目処理することが示されている（特許文献１参照）。
【０００３】
図３は、Ｖネックベスト（編地）１の概略図である。この図３に示すＶネックベスト１の前身頃３の中央部は開いており、右前身頃３Ｒと左前身頃３Ｌとに分かれている。右前身頃３Ｒと後身頃２とは右肩接合部６Ｒで、左前身頃３Ｌと後身頃２とは左肩接合部６Ｌで接合されている。このＶネックベスト１を編成する方法として、図４に例示するように、後身頃２と右前身頃３Ｒと左前身頃３Ｌとを編幅方向の左右に並べて編成する方法が挙げられる。
【０００４】
図４に示す編成では、まずＶネックベスト１のアームホールの下端までは折り返し編成により各身頃２，３Ｒ，３Ｌを編成する。当該下端より上では、それぞれ別々の給糸口を用いた折り返し編成により各身頃２，３Ｒ，３Ｌを編成する。また、アームホールの上端の位置からは、順次編幅を減らす引き返し編成を行ない、右前身頃３Ｒの右前引き返し部４Ｒ、左前身頃３Ｌの左前引き返し部４Ｌ、および後身頃２の右後引き返し部５Ｒと左後引き返し部５Ｌを形成する。最後に、右前引き返し部４Ｒと右後引き返し部５Ｒとを伏目処理にて接合すると共に、左前引き返し部４Ｌと左後引き返し部５Ｌとを伏目処理にて接合する。つまり、図４中の矢印で示すような形で編目同士をその境界部に近い編目から順次伏目処理して、図３のＶネックベスト１を完成させる。
【先行技術文献】
【特許文献】
【０００５】
【特許文献１】特開平２−９１２５４号公報
【発明の概要】
【発明が解決しようとする課題】
【０００６】
前記伏目処理では、編目の目移しを行なって重ね目を形成することが行なわれる。その形成された重ね目は、伏目処理として新たな編目が形成されて順次編針から払われていく。残った他の編目はその編目自身が伏せられるまで、重ね目となる編目に近づいていくための目移しが繰り返される。つまり、右前引き返し部４Ｒと左前引き返し部４Ｌの編幅方向の外側に位置する編目ほど、伏目処理されるまでの間に目移しされる回数が多くなる。その結果、目移しを繰り返す過程で、糸切れなどの損傷が生じる恐れがある。
【０００７】
本発明は、上記の事情に鑑みてなされたものであり、その目的は、針床の左右に並んだ状態の編地部を接合する際に、糸切れなどの編糸の損傷が生じ難い編地の接合方法を提供することにある。また、本発明の別の目的は、本発明編地の接合方法で編成された部分を有する編地を提供することにある。
【課題を解決するための手段】
【０００８】
本発明編地の接合方法は、少なくとも前後一対の針床と、これら針床に編糸を給糸する第一給糸口および第二給糸口と、を備え、前後の針床間で編目の目移しが可能な横編機を用いて、前記第一給糸口を用いて編成される第一編地部と、前記第一編地部の編幅方向に並列して前記第二給糸口を用いて編成される第二編地部とを、それらの境界部に近い側から順次、接合する編地の接合方法である。この本発明編地の接合方法では、前記第一給糸口を用いて、前記境界部近傍に位置する前記第一編地部の一部の編目と前記第二編地部の一部の編目が係止される編針を含む前後の針床の編針に袋編みを行なって、両編地部の一部を接合した後、次の工程α〜γを繰り返す。そして、その繰り返しの途中、少なくとも１回、前記第一給糸口を用いて、前記第一編地部のウエール方向に続く新たな編目列を形成する引き返し編成を行なうことを特徴とする。
［工程α］…袋編みによって形成された全ての編目、および前記第一編地部の全ての編目を前記第二編地部側に移動させ、袋編みによって形成された編目の一部と、前記第二編地部の編目の一部と、を重ね合わせる。
［工程β］…前記第一編地部の全ての編目を前記第二編地部側に移動させ、前記第一編地部の編目の一部と、袋編みによって形成された編目の一部と、を重ね合わせる。
［工程γ］…前記第一給糸口を用いて、前記工程αによって形成された重ね目と、前記工程βによって形成された重ね目を両端部とする袋編みを行なう。
【０００９】
ここで、工程α〜γの繰り返しの途中に第一編地部の引き返し部の編成を何回行なうかは、引き返し部によって形成する傾斜の角度をどの程度とするかによって適宜選択すると良い。例えば、工程α〜γを行なうごとに、第一編地部の引き返し部を編成しても良いし、工程α〜γを複数回行なうごとに、第一編地部の引き返し部を編成しても良い。また、第一編地部の引き返し部を編成するタイミングは特に限定されないが、後述する実施形態１に示すように、工程α，βを行なった後であって、工程γの前とすることが好ましい。
【００１０】
本発明編地の接合方法の一形態として、前記工程αと前記工程βで編目を移動させる際、袋編みによって形成された編目は、前記第一編地部と前記第二編地部の表側に重ねることが好ましい。ここで、第一編地部と第二編地部の表側とは、出来上がった編地を着用したときに編地の表側となる方である。この点については実施形態２に詳しく記載する。
【００１１】
本発明編地の接合方法の一形態として、前記第一編地部と前記第二編地部の各々を両面編みで編成することが好ましい。ここで、両面編みとは、前針床の一針置きの編針と後針床の一針置きの編針に交互に編目を形成する第一編成と、その第一編成に使用しなかった前針床と後針床の編針に交互に編目を形成する第二編成と、を交互に繰り返す編成のことである。もちろん、第一編地部と第二編地部は、平編みで編成しても良いし、リブ編みで編成しても良い。
【００１２】
本発明編地は、少なくとも前後一対の針床と、これら針床に編糸を給糸する複数の給糸口と、を備え、前後の針床間で編目の目移しが可能な横編機を用いて編成された編地であり、ウエール方向の上方に向かうに従い順次編幅が狭くなる引き返し部を有する第一編地部と、第二編地部と、これら第一編地部と第二編地部をウエール方向の下方から順次、接合する接合部と、を備える編地である。この本発明編地の前記第一編地部における引き返し部と前記接合部は、共通する編糸で編成され、前記第二編地部は、前記第一編地部の編糸とは異なる編糸で編成され、前記接合部は、前記第一編地部における引き返し部の少なくとも一部を編成するごとに袋編みによって形成されていることを特徴とする。
【発明の効果】
【００１３】
本発明編地の接合方法によれば、引き返し部を有する第一編地部と、第二編地部と、が袋編みによって接合された本発明編地を編成することができる。この本発明編地の接合方法では、第一編地部と第二編地部との接合の際、第二編地部を動かさず、第一編地部を第二編地部に向かって（境界部に向かって）移動させ、両編地部を接合している。しかも、第一編地部と第二編地部の接合の途中で、引き返し編成により第一編地部の引き返し部を形成していくので、同じ編目に対する目移しの回数が減少する。その結果、目移しによる編糸の損傷の可能性を大幅に低減できる。
【００１４】
本発明編地の接合方法において、袋編みによって形成された編目を、第一編地部と第二編地部の表側に重ねることで、袋編みされた部分と両編地部との境界の位置の見栄えを向上させることができる。
【００１５】
本発明編地の接合方法において、第一編地部と第二編地部を両面編みで編成することで、厚みを持ちながら、確りとした見栄えの良い編地を編成することができる。
【図面の簡単な説明】
【００１６】
【図１】実施形態１に示す編地の接合方法に係る編成工程図である。
【図２】図１の編成工程に従って編成されたＶネックベストの肩接合部の部分拡大写真を示す図である。
【図３】前開きのＶネックベストの概略図である。
【図４】図３のＶネックベストを編成する従来方法の手順を示す概略図である。
【発明を実施するための形態】
【００１７】
以下、本発明の実施形態を図面に基づいて説明する。実施形態に記載の編成は、左右方向に延び、かつ前後方向に互いに対向する下部前針床（ＦＢ）と下部後針床（ＢＢ）、およびこれらＦＢとＢＢの上方に設けられる上部前針床と上部後針床を備える４枚ベッド横編機を用いた編成例を説明する。なお、使用する横編機は、２枚ベッド横編機やトランスファージャックベッドを備える２枚ベッド横編機であっても良い。これら２枚ベッド横編機の場合、隣接する編目間を空針とする針抜き編成を行なうと良い。
【００１８】
＜実施形態１＞
本実施形態では、図３に示すＶネックベスト１における右肩接合部６Ｒと左肩接合部６Ｌの形成に本発明編地の接合方法を適用した例を説明する。ここで、既に説明したように、図４に示す従来の編成手順においては引き返し部４Ｒ，４Ｌ，５Ｒ，５Ｌを全て編成した後に伏目処理による接合を行なっていた。これに対して、本発明編地の接合方法では、接合を開始する前に、後身頃２の引き返し部５Ｒ，５Ｌは編成しておくが、右前身頃３Ｒと左前身頃３Ｌの引き返し部４Ｒ，４Ｌはまだ編成しないでおく。当該引き返し部４Ｒ，４Ｌは、接合を行ないながら編成する。以下、左前身頃（第一編地部）３Ｌと、後身頃（第二編地部）２との接合について、図１を参照して説明する。なお、右前身頃３Ｒと後身頃２との接合については、図１と同様に行なえば良いので説明を省略する。
【００１９】
図１の「Ｓ＋数字」は編成工程の番号、黒点はＦＢとＢＢに備わる編針、Ａ〜ＶはＦＢとＢＢの編針の位置を示し、一点鎖線Ｘ−Ｘは第一編地部３Ｌと第二編地部２の境界部を示す。また図１では、各編成工程で実際に編成された編目もしくは目移しされた編目を示す。なお、上部前針床と上部後針床の編針は、編目の目移しの際に利用されるのみであるので、図示しない。
【００２０】
Ｓ１，Ｓ２では、給糸口（第一給糸口）８を用いて左前身頃（第一編地部）３Ｌを両面編みで編成する様子が示されている。両面編みとは、ＦＢの一針置きの編針とＢＢの一針置きの編針に交互に編目を形成する第一編成（Ｓ１参照）と、その第一編成に使用しなかったＦＢとＢＢの編針に交互に編目を形成する第二編成（Ｓ２参照）と、を交互に繰り返すことである。ここで、後身頃（第二編地部）２は、引き返し部５Ｌまで編成が終了しているものとする。この引き返し部５Ｌも、Ｓ１においてＦＢとＢＢの両方に係止されるように両面編みで編成されたものである。
【００２１】
次のＳ３，Ｓ４では、第一編地部３Ｌと第二編地部２の引き返し部５Ｌの境界部Ｘ近傍に位置する第一編地部３Ｌの一部の編目が係止される編針と第二編地部５Ｌの編目が係止される編針を含むＦＢとＢＢの編針を用いて袋編みを行なう。具体的には、Ｓ３において、第一給糸口８を紙面右方向に移動させ、ＢＢの編針Ｊ，Ｋに係止される第二編地部２の引き返し部５Ｌの編目と、ＢＢの編針Ｌ，Ｍに係止される第一編地部３Ｌの編目に続く新たな編目を形成する。さらに、Ｓ４において第一給糸口８を紙面左方向に移動させ、ＦＢの編針Ｍ，Ｌに係止される第一編地部３Ｌの編目と、ＦＢの編針Ｋ，Ｊに係止される第二編地部２の引き返し部５Ｌの編目に続く新たな編目を形成する。
【００２２】
Ｓ５では、ＦＢの編針Ｊ〜ＶとＢＢの編針Ｊ〜Ｖに係止される袋編みされた部分（接合部６Ｌ）の編目と第一編地部３Ｌの編目を、第二編地部２側に向かって一針分ずつ移動させる。その結果、ＦＢの編針Ｉに重ね目６１が形成され、ＢＢの編針Ｉに重ね目６２が形成される。このＳ５は、本発明編地の接合方法における一回目の工程αに相当する。
【００２３】
なお、図面上、編目の移動は矢印のみで示しているが、実際には上部針床とラッキングを利用する。例えば、ＦＢの編針に係止される編目をその隣の編針に移動させる場合、当該編目を一旦、上部後針床（ＢＵ）に目移しし、ＢＵをラッキングさせた後、ＢＵにある編目をＦＢに目移しする。
【００２４】
Ｓ６では、ＦＢの編針Ｍ〜ＵとＢＢの編針Ｍ〜Ｕに係止される第一編地部３Ｌの編目を、第二編地部２側に向かって一針分ずつ移動させる。その結果、ＦＢの編針Ｌに重ね目６３が形成され、ＢＢの編針Ｌに重ね目６４が形成される。このＳ６は、本発明編地の接合方法における一回目の工程βに相当する。
【００２５】
Ｓ７，Ｓ８では、Ｓ５において形成した重ね目６１，６２と、Ｓ６において形成した重ね目６３，６４を両端として袋編みを行なう。このＳ７，Ｓ８は、本発明編地の接合方法における一回目の工程γに相当する。
【００２６】
Ｓ９では、Ｓ５と同様に、ＦＢの編針Ｉ〜ＴとＢＢの編針Ｉ〜Ｔに係止される袋編みされた部分（接合部６Ｌ）の編目と第一編地部３Ｌの編目を、第二編地部２側に向かって一針分ずつ移動させる。その結果、ＦＢの編針ＨとＢＢの編針Ｈに重ね目６１，６２が形成される。このＳ９は、本発明編地の接合方法における二回目の工程αに相当する。
【００２７】
Ｓ１０では、Ｓ６と同様に、ＦＢの編針Ｌ〜ＳとＢＢの編針Ｌ〜Ｓに係止される第一編地部３Ｌの編目を、第二編地部２側に向かって一針分ずつ移動させる。その結果、ＦＢの編針ＫとＢＢの編針Ｋに重ね目６３，６４が形成される。このＳ１０は、本発明編地の接合方法における二回目の工程βに相当する。
【００２８】
Ｓ１１，Ｓ１２では両面編みによって第一編地部３Ｌに続く新たな編目列を編成する。具体的には、第一給糸口８を紙面右方向に移動させ、ＢＢの編針Ｌ，Ｎ，Ｐ，ＲとＦＢの編針Ｍ，Ｏ，Ｑに交互に編目を形成し、次いで第一給糸口８を紙面左方向に移動させ、ＦＢの編針Ｒ，Ｐ，Ｎ，ＬとＢＢの編針Ｑ，Ｏ，Ｍに交互に編目を形成する。この新たな編目列は、図４における左前引き返し部（第１編地部の引き返し部）４Ｌの一部となる。
【００２９】
Ｓ１３，Ｓ１４では、Ｓ９において形成した重ね目６１，６２と、Ｓ１０において形成した重ね目６３，６４を両端として袋編みを行なう。このＳ１３，Ｓ１４は、本発明編地の接合方法における二回目の工程γに相当する。
【００３０】
なお、本実施形態では、袋編みによる接合を二回行なうごとに、引き返し部４Ｌの形成を一回行なったが、接合と引き返し部４Ｌの編成の比率は、引き返し部４Ｌの傾斜をどの程度とするかによって適宜選択すると良い。例えば、接合を一回行なうごとに、引き返し部４Ｌの形成を一回行なっても良い。あるいは、接合を三回以上行なうごとに、引き返し部４Ｌの形成を一回行なっても良い。
【００３１】
以降は、第一編地部３Ｌと第二編地部２とを袋編みにより接合することと、第一編地部３Ｌの引き返し部４Ｌを編成していくことと、を繰り返す。ここで、Ｓ１４が終了した時点で、Ｓ５，Ｓ６，Ｓ９，Ｓ１０で目移しを行なった編目は全てＦＢとＢＢから外されている。つまり、Ｓ１４の時点でＦＢとＢＢに係止されている編目は全て、一度も目移しがされていない編目となる。そのため、Ｓ１４以降に接合するために編目の目移しを行なっても、その目移しされる編目を構成する編糸が切れ難い。
【００３２】
以上説明した編地の接合方法により形成したＶネックベスト１の肩接合部６Ｌの部分拡大写真を図２に示す。図２に示すように、第一編地部３Ｌの引き返し部４Ｌと、第二編地部２の引き返し部５Ｌとが、袋編みにより形成された肩接合部（接合部）６Ｌにより接合されている。この接合部６Ｌは、図１を参照して説明したように、第一編地部３Ｌの引き返し部４Ｌを構成する編糸と共通の編糸であり、第二編地部２の引き返し部５Ｌを構成する編糸とは異なる編糸で編成されている。
【００３３】
＜実施形態２＞
実施形態２では、袋編みによって形成される編目が全て編地の表側に配置されるようにする本発明編地の接合方法を説明する。
【００３４】
実施形態１の図１のＳ６では、袋編みされた部分を動かさずに第一編地部３Ｌを動かして重ね目６３，６４を形成しているため、この重ね目６３，６４の表側（即ち、Ｖネックベスト１の表側）に袋編みによって形成された編目が配置される。これに対して、図１のＳ５では、第二編地部２を動かさずに袋編みによって形成された編目を動かして重ね目６１，６２を形成しているため、この重ね目６１，６２の裏側（即ち、Ｖネックベスト１の裏側）に袋編みによって形成された編目が配置される。これら重ね目６１〜６４における重なり方を、袋編みによって形成された編目がＶネックベスト１の表側となるように統一することで、左肩接合部（接合部）６Ｌの見栄えを向上させることができる。
【００３５】
上述したように重なり方を統一させるには、図１のＳ５を次のように変更すれば良い。まず、ＦＢの編針Ｉに係止される第二編地部２の編目、ＦＢの編針Ｊ〜Ｍに係止される袋編みによって形成された編目、およびＦＢの編針Ｎ〜Ｖに係止される第一編地部３Ｌの編目を上部後針床に預ける。次いで、第二編地部２の編目だけを上部後針床に残して、残りの編目をＦＢの編針Ｉ〜Ｕに目移しする。その後、上部後針床に残しておいた第二編地部２の編目をＦＢの編針Ｉに目移しする。その結果、ＦＢの編針Ｉにおいて、袋編みによって形成された編目が表側（即ち、Ｖネックベスト１の表側）に配置された重ね目６１が形成される。なお、ＢＢに係止される編目については、編目を預ける針床を上部前針床に変更して上述したＦＢに係止される編目の場合と同様に行なう。
【００３６】
＜実施形態３＞
実施形態１，２では、接合する第一編地部と第二編地部の双方に、傾斜を有する引き返し部が形成されていた。しかし、第二編地部に傾斜を有する引き返し部が無くても、本発明編地の接合方法を適用することができる。その場合、例えば図１のＳ１において、ＦＢとＢＢの編針Ａ〜Ｋに係止される第二編地部２を傾斜のないフラットなものとし、以降の編成は図１と同様に行なえば良い。
【００３７】
なお、本発明の実施形態は上述した実施形態に限定されるわけではなく、本発明の要旨を逸脱しない範囲で適宜変更することができる。例えば、第一編地部と第二編地部は、平編みで編成しても良いし、リブ編みで編成しても良い。ここで、平編みの場合、第一編地部と第二編地部がＦＢまたはＢＢのいずれか一方にのみ係止された状態である。そのため、第一編地部と第二編地部を最初に繋ぐ袋編みにおいて、空針に掛け目を形成することを行なう。
【符号の説明】
【００３８】
１  Ｖネックベスト
２  後身頃（第二編地部）
３  前身頃
３Ｒ  右前身頃  ３Ｌ  左前身頃（第一編地部）
４Ｒ  右前引き返し部  ４Ｌ  左前引き返し部（第一編地部の引き返し部）
５Ｒ  右後引き返し部  ５Ｌ  左後引き返し部（第二編地部の引き返し部）
６Ｒ  右肩接合部  ６Ｌ  左肩接合部（接合部）
６１〜６４  重ね目
８  第一給糸口
【図１】
0005905221.tif 000002
【図３】
0005905221.tif 000003
【図４】
0005905221.tif 000004
【図２】
0005905221.tif 000005